(57)【要約】【課題】調節可能な視度の範囲を狭めることなく視度の分解能を細かくすることが難しい。【解決手段】操作部の操作に伴い回転する連結ギアと、連結ギアの回転が伝達される伝達ギアと、伝達ギアの回転を伝達させて視度調節用レンズを移動させることで、ファインダ光学系の焦点を変化させるものと、連結ギアと同軸かつ隣接する位置に一体形成されており、連結ギアの歯底円直径以上の直径を持つ円柱部、及び円柱部の外周面に所定の角度間隔で形成されたクリック溝を持つクリック溝円柱と、クリック溝を円柱部側に付勢する付勢部であって、クリック溝円柱が連結ギアの回転に伴って回転したときにクリック溝を乗り越えることで操作部が操作された際のクリック感を生じさせるものと、連結ギアとクリック溝円柱との間に形成されており、連結ギア側への付勢部の移動を規制する壁部と、からファインダ装置を構成する。【選択図】図２
2015072291.tif 000002
【特許請求の範囲】
【請求項１】
視度調節用レンズを含むファインダ光学系と、
ユーザが操作可能な操作部と、
ユーザによる前記操作部の操作に伴い回転する連結ギアと、
前記連結ギアの回転が伝達される伝達ギアと、
前記伝達ギアの回転を前記視度調節用レンズに伝達させて該視度調節用レンズを光軸方向に移動させることにより、前記ファインダ光学系の焦点を変化させる駆動伝達部と、
前記連結ギアと同軸かつ隣接する位置に一体形成されており、該連結ギアの歯底円直径以上の直径を持つ円柱部、及び該円柱部の外周面に所定の角度間隔で形成されたクリック溝を持つクリック溝円柱と、
前記クリック溝を前記円柱部側に付勢する付勢部であって、前記クリック溝円柱が前記連結ギアの回転に伴って回転したときに該クリック溝を乗り越えることで前記操作部が操作された際のクリック感を生じさせるものと、
前記連結ギアと前記クリック溝円柱との間に形成されており、該連結ギア側への前記付勢部の移動を規制する壁部と、
を備える、
ファインダ装置。
【請求項２】
前記壁部に、
前記壁部と該伝達ギアとの機械的干渉を避けるための切り欠きが形成されている、
請求項１に記載のファインダ装置。
【請求項３】
前記切り欠きは、
前記伝達ギア、前記付勢部設置スペースが後方から順に並ぶ組み立て途中の構成に、前記連結ギア、前記クリック溝円柱が該後方から順に並ぶ一体形成部を該後方から組み付ける際の、前記壁部と該伝達ギアとの機械的干渉を避けるためのものである、
請求項２に記載のファインダ装置。
【請求項４】
前記クリック溝円柱の回転を一周に満たない所定の角度範囲に規制するストッパ部
を備え、
前記クリック溝は、
前記クリック溝円柱の回転に拘わらず前記付勢部が前記クリック溝を常時付勢するように、少なくとも、前記所定の角度範囲に対応する前記外周面上の角度範囲に形成されている、
請求項１から請求項３の何れか一項に記載のファインダ装置。
【請求項５】
前記切り欠きは、
前記所定の角度範囲に対応する前記外周面上の角度範囲以外の角度範囲に形成されている、
請求項２又は請求項３を引用する請求項４に記載のファインダ装置。
【請求項６】
前記外周面上に形成されるクリック溝の数は、前記連結ギアの歯数と同一又はそれ以上である、
請求項１から請求項５の何れか一項に記載のファインダ装置。
【発明の詳細な説明】
【技術分野】
【０００１】
本発明は、ファインダ装置に関し、特に視度調節可能なファインダ装置に関する。
【背景技術】
【０００２】
ユーザの視力に合わせて視度を調節することが可能なファインダ装置が知られている。この種のファインダ装置の具体的構成は、例えば特許文献１に記載されている。
【０００３】
特許文献１に記載のファインダ装置では、ユーザによる視度調節ダイヤルの操作に伴い視度調節ギアが回転する。視度調節ギアの回転は、視度調節カムギア及び視度調節ピンを介して視度調節用移動レンズに伝達される。これにより、視度調節用移動レンズが光軸方向に移動されて、ファインダ光学系の焦点が変化する（視度が変化する）。
【０００４】
特許文献１において視度調節ギアは段付き形状となっている。段付き形状のうち、直径の大きい部分には視度調節カムギアと噛み合う駆動伝達歯面が形成されており、直径の小さい部分にはバネ部材と噛み合うバネ受け面が形成されている。バネ受け面とバネ部材とが噛み合うことにより、視度調節ギアに軽負荷が掛かるため視度調節ギアの回転位置が停止（説明を加えると、視度調節用移動レンズの位置が停止して視度が決まる。）されると共に、視度調節ダイヤルを操作したときのクリック感が付与される。
【先行技術文献】
【特許文献】
【０００５】
【特許文献１】特開２００２−７２２９２号公報
【発明の概要】
【発明が解決しようとする課題】
【０００６】
このように、特許文献１に記載のファインダ装置において、バネ受け面は、段付き形状のうち直径の小さい部分に形成されているため、バネ受け面に形成可能な溝の数が少ない。すなわち、特許文献１に記載の構成ではバネ部材と噛み合う溝の数が少ないため、停止可能な視度調節ギアの回転位置が少ない。停止可能な視度調節ギアの回転位置が少ないため、調節可能な視度の分解能（１クリック分操作したときに変化する視度の値）が粗くなるという問題が指摘される。視度の分解能を細かくすることは一応可能ではあるが、この場合は調節可能な視度の範囲が狭くなるという別の問題が指摘される。
【０００７】
本発明は上記の事情に鑑みてなされたものであり、その目的とするところは、調節可能な視度の範囲を狭めることなく視度の分解能を細かくすることが可能なファインダ装置を提供することである。
【課題を解決するための手段】
【０００８】
本発明の実施形態に係るファインダ装置は、視度調節用レンズを含むファインダ光学系と、ユーザが操作可能な操作部と、ユーザによる操作部の操作に伴い回転する連結ギアと、連結ギアの回転が伝達される伝達ギアと、伝達ギアの回転を視度調節用レンズに伝達させて視度調節用レンズを光軸方向に移動させることにより、ファインダ光学系の焦点を変化させる駆動伝達部と、連結ギアと同軸かつ隣接する位置に一体形成されており、連結ギアの歯底円直径以上の直径を持つ円柱部、及び円柱部の外周面に所定の角度間隔で形成されたクリック溝を持つクリック溝円柱と、クリック溝を円柱部側に付勢する付勢部であって、クリック溝円柱が連結ギアの回転に伴って回転したときにクリック溝を乗り越えることで操作部が操作された際のクリック感を生じさせるものと、連結ギアとクリック溝円柱との間に形成されており、連結ギア側への付勢部の移動を規制する壁部とを備える。
【０００９】
本実施形態によれば、クリック溝円柱の円柱部の直径が連結ギアの歯底円直径と同一又はそれ以上であるため、特許文献１に記載の構成と比べて円柱部の外周面が長い。そのため、円柱部の外周面により多くのクリック溝が形成される。これにより、停止可能な連結ギアの回転位置が多くなるため、調節可能な視度の範囲を狭めることなく視度の分解能を細かくすることが可能となる。また、円柱部の直径を単純に連結ギアの歯底円直径と同一又はそれ以上としただけの構成では、付勢部による連結ギア側への機械的干渉（付勢部が連結ギア上にずれたり脱落したりすること）が懸念される。そこで、本実施形態では、連結ギアとクリック溝円柱との間に壁部を形成することにより、付勢部による連結ギア側への機械的干渉を防いでいる。
【００１０】
ファインダ装置は、壁部に、壁部と伝達ギアとの機械的干渉を避けるための切り欠きが形成された構成としてもよい。壁部に形成された切り欠きは、例えば、伝達ギア、付勢部設置スペースが後方から順に並ぶ組み立て途中の構成に、連結ギア、クリック溝円柱が後方から順に並ぶ一体形成部を後方から組み付ける際の、壁部と伝達ギアとの機械的干渉を避けるための逃げ形状である。
【００１１】
ファインダ装置は、クリック溝円柱の回転を一周に満たない所定の角度範囲に規制するストッパ部を備えたものとしてもよい。この場合、クリック溝は、クリック溝円柱の回転に拘わらず付勢部がクリック溝を常時付勢するように、少なくとも、所定の角度範囲に対応する外周面上の角度範囲に形成されている。
【００１２】
壁部に形成された切り欠きは、例えば、所定の角度範囲に対応する外周面上の角度範囲以外の角度範囲に形成されている。
【００１３】
外周面上に形成されるクリック溝の数は、例えば、連結ギアの歯数と同一又はそれ以上である。
【発明の効果】
【００１４】
本実施形態によれば、調節可能な視度の範囲を狭めることなく視度の分解能を細かくすることが可能なファインダ装置が提供される。
【図面の簡単な説明】
【００１５】
【図１】本発明の実施形態の撮影装置の外観を示す背面図である。
【図２】本発明の実施形態の撮影装置に備えられるファインダ装置単体の背面図及び斜視図である。
【図３】本発明の実施形態のファインダ装置単体の斜視図である。
【図４】本発明の実施形態のファインダ装置から調整レンズ及びその周辺の構成を抽出して示す斜視図である。
【図５】本発明の実施形態のファインダ装置に備えられるギア部単体の背面図及び斜視図である。
【図６】本発明の実施形態のギア部の組み付けを説明するための図である。
【図７】本発明の実施形態のファインダ装置の組み付けを説明するための図である。
【図８】本発明の実施形態のファインダ装置を組み付ける際に用いられる棒状治具の正面図及び斜視図である。
【図９】本発明の実施形態のファインダ装置に備えられる軸受ストッパ部単体の背面図及び斜視図である。
【図１０】本発明の実施形態のファインダ装置に備えられる視度調節ダイヤル単体の斜視図である。
【発明を実施するための形態】
【００１６】
以下、本発明の実施形態について図面を参照しながら説明する。なお、以下においては、本発明の一実施形態として、撮影装置（例えばデジタル一眼レフカメラ）について説明する。
【００１７】
図１は、本実施形態の撮影装置１の外観を示す背面図である。図１においては、主に、ファインダ装置１０の周辺を示す。ファインダ装置１０は、カメラ本体部１ａと上カバー１ｂとが規定するスペース内に組み込まれており、一部の構成が撮影装置１の外観（背面側）に現れている。具体的には、図１に示されるように、ファインダ装置１０は、視度調節ダイヤル１０２、接眼レンズ１０４及び接眼レンズ枠１０６が外観に現れている。ユーザは、接眼レンズ１０４を覗きつつ視度調節ダイヤル１０２を操作することにより、ファインダ装置１０の視度を自身に合う視度に調節することができる。
【００１８】
図２（ａ）は、ファインダ装置１０単体の背面図を示し、図２（ｂ）及び図２（ｃ）は、ファインダ装置１０単体の斜視図を示す。図２（ａ）〜図２（ｃ）の各図においては、便宜上、視度調節ダイヤル１０２及び接眼レンズ枠１０６の図示を省略する。
【００１９】
図２に示されるように、ファインダ装置１０は、視度調節ダイヤル１０２、接眼レンズ１０４及び接眼レンズ枠１０６に加えて、ケース１０８、上板１１０、ダイヤルクリック板バネ１１２、一対の止めねじ１１４、対物レンズ１１６、円筒リブカム１１８、伝達ギア１２０、ギア部１２２、レンズガイド軸１２４及びレンズ付勢バネ１２６を備えている。
【００２０】
上板１１０は、止めねじ１１４によってケース１０８に取り付けられることにより、ケース１０８から対物レンズ１１６等の内蔵物が脱落するのを防ぐ。ダイヤルクリック板バネ１１２も止めねじ１１４によってケース１０８に取り付けられる。図３は、止めねじ１１４の各々が弛められて上板１１０及びダイヤルクリック板バネ１１２がケース１０８から取り外されたときのファインダ装置１０単体の斜視図を示す。図３に示されるように、ケース１０８内には、ファインダ光学系を構成する、接眼レンズ１０４、対物レンズ１１６及び調節レンズ１２８が収容されている。
【００２１】
図４に、調整レンズ１２８及びその周辺の斜視図を図３から抽出して示す。図４に示されるように、調節レンズ１２８の側面にガイド部１２８ａが一体に形成されている。ガイド部１２８ａには、ガイド穴１２８ａＡ（図面上不可視）が空けられている。
【００２２】
ガイド穴１２８ａＡにはレンズガイド軸１２４が挿入され通されている。ガイド穴１２８ａＡは、内周面がレンズガイド軸１２４との摺動面となっている。レンズガイド軸１２４は、図３中矢印方向（光軸方向）に延びており、両端がケース１０８に固定されている。
【００２３】
ガイド穴１２８ａＡの内周面とレンズガイド軸１２４との摺動によりガイド部１２８ａがレンズガイド軸１２４沿いに移動すると、ガイド部１２８ａと一体に形成された調節レンズ１２８は、ケース１０８内を光軸方向にスライドする。これに対し、接眼レンズ１０４及び対物レンズ１１６は、ケース１０８内に固定されている。本実施形態では、調節レンズ１２８のみが光軸方向にスライドすることにより、接眼レンズ１０４、対物レンズ１１６及び調節レンズ１２８よりなるファインダ光学系の焦点が変化する（視度が変化する）。
【００２４】
ガイド部１２８ａの先端には、カムフォロア１２８ａＢが形成されている。カムフォロア１２８ａＢは、ケース１０８内に回転可能に支持された円筒リブカム１１８と係合している。円筒リブカム１１８の後端には、伝達ギア１２０が一体に形成されている。
【００２５】
図５（ａ）、図５（ｂ）はそれぞれ、ギア部１２２単体の背面図、斜視図を示す。図５に示されるように、ギア部１２２は、連結ギア１２２ａ、クリック溝円柱１２２ｂ、仕切壁１２２ｃ及び軸部１２２ｄよりなる一体形成品であり、ケース１０８の軸受１０８ａに回転可能に支持されている。
【００２６】
連結ギア１２２ａはインボリュートギアであり、伝達ギア１２０と噛み合う。クリック溝円柱１２２ｂは、円柱部１２２ｂＡの外周面に所定の角度間隔で形成されたクリック溝１２２ｂＢを持つ円柱状部材である。連結ギア１２２ａとクリック溝円柱１２２ｂは、同軸かつ互いに隣接する位置に一体形成されており、連結ギア１２２ａの歯底円直径と円柱部１２２ｂＡの直径とが等しい。
【００２７】
連結ギア１２２ａは、視度調節ダイヤル１０２と連結する（詳しくは後述）。そのため、視度調節ダイヤル１０２が時計回り又は反時計回りに回転操作されると、連結ギア１２２ａも一体となって回転する。連結ギア１２２ａの回転が伝達ギア１２０に伝達されると、円筒リブカム１１８が伝達ギア１２０と一体となって回転する。円筒リブカム１１８の回転動作は、カムフォロア１２８ａＢとの間で光軸方向の直進動作に変換される。そのため、カムフォロア１２８ａＢと一体に形成された調節レンズ１２８は、光軸方向にスライドする。
【００２８】
より詳細には、カムフォロア１２８ａＢは、レンズガイド軸１２４に掛けられたレンズ付勢バネ１２６により背面側（接眼レンズ１０４側）に付勢されている。視度調節ダイヤル１０２が時計回りに回転操作されると、カムフォロア１２８ａＢが円筒リブカム１１８との係合により、レンズ付勢バネ１２６の付勢力に抗して前進する。これにより、カムフォロア１２８ａＢと一体に形成された調節レンズ１２８は、前面側（対物レンズ１１６側）にスライドする。また、視度調節ダイヤル１０２が反時計回りに回転操作されると、カムフォロア１２８ａＢと円筒リブカム１１８との係合位置が後退する。そのため、カムフォロア１２８ａＢは、レンズ付勢バネ１２６の付勢力により後退する。これにより、カムフォロア１２８ａＢと一体に形成された調節レンズ１２８も背面側（接眼レンズ１０４側）にスライドする。視度は、視度調節ダイヤル１０２が時計回りに回転操作されるほどマイナス端側に変化し、視度調節ダイヤル１０２が反時計回りに回転操作されるほどプラス端側に変化する。
【００２９】
上板１１０及びダイヤルクリック板バネ１１２は金属製の板状部材であり、それぞれが止めネジ１１４によってケース１０８に取り付けられている。ダイヤルクリック板バネ１１２は、止めねじ１１４によってケース１０８に取り付けられたとき、図２に示されるように、クリック溝１２２ｂＢに当て付き、クリック溝１２２ｂＢを円柱部１２２ｂＡ側へ付勢する。ダイヤルクリック板バネ１１２は、クリック溝円柱１２２ｂが回転されたときにクリック溝１２２ｂＢを乗り越えることで、ユーザによって視度調節ダイヤル１０２が回転操作された際のクリック感を生じさせる。
【００３０】
クリック溝円柱１２２ｂは、ユーザによる視度調節ダイヤル１０２の回転操作時に連結ギア１２２ａと一体となって回転するが、視度調節ダイヤル１０２の回転操作が行われていないときには、ダイヤルクリック板バネ１１２によりクリック溝１２２ｂＢに軽負荷が掛かる位置で停止する。ここで、クリック溝円柱１２２ｂは、連結ギア１２２ａ、伝達ギア１２０、円筒リブカム１１８、カムフォロア１２８ａＢ及びガイド部１２８ａを介して調節レンズ１２８と連動する。そのため、クリック溝１２２ｂＢに軽負荷が掛かる位置（クリック溝円柱１２２ｂの停止位置）を増やすことにより、調節レンズ１２８の停止位置を増やすことができる。調節レンズ１２８の停止位置を増やすことにより、ファインダ光学系で調節可能な視度の範囲（例えば−３．０Ｄｐｔｒ〜＋１．８Ｄｐｔｒ）を狭めることなく視度の分解能を細かくすることができる。視度の分解能は、視度調節ダイヤル１０２を１クリック分操作したときに変化する視度の値を示し、本実施形態では０．２Ｄｐｔｒ〜０．３Ｄｐｔｒの範囲に設定される。
【００３１】
軽負荷によるクリック溝円柱１２２ｂの停止位置（以下、「クリック停止位置」と記す。）の数は、クリック溝１２２ｂＢの数と一致する。そのため、クリック溝１２２ｂＢを増やすことにより、クリック停止位置が増加する。クリック溝１２２ｂＢを増やす方法として、例えば、クリック溝１２２ｂＢの一つ一つを小さく設計することが考えられる。しかし、クリック溝１２２ｂＢを小さく設計しすぎると、クリック溝円柱１２２ｂの回転を停止させるに足る軽負荷の確保が難しいと共にクリック溝１２２ｂＢの耐久性が低下する。そのため、クリック溝１２２ｂＢを小さく設計するという方法は安易には採用できない。
【００３２】
そこで、本実施形態では、円柱部１２２ｂＡの直径が連結ギア１２２ａの歯底円直径と同一のサイズに設計されている。すなわち、本実施形態では、特許文献１に記載の構成と比べて、クリック溝１２２ｂＢが形成される面（円柱部１２２ｂＡの外周面の長さ）が長く設計されている。これにより、例えば、クリック溝１２２ｂＢのサイズを維持しつつより多くのクリック溝１２２ｂＢを形成することが可能となる。
【００３３】
本実施形態において、連結ギア１２２ａの歯及びクリック溝１２２ｂＢは、連結ギア１２２ａの歯底面上、円柱部１２２ｂＡの外周面上のそれぞれに、同一の数だけ形成されている。また、連結ギア１２２ａの歯及びクリック溝１２２ｂＢは、連結ギア１２２ａの歯底面上、円柱部１２２ｂＡの外周面上のそれぞれに、同位相で（同一の角度間隔でかつ同一の角度位置に）形成されている。
【００３４】
別の実施形態では、クリック溝１２２ｂＢの数は、連結ギア１２２ａの歯数より多くてもよい。また、連結ギア１２２ａの歯とクリック溝１２２ｂＢとの形成位置は、同位相でなくてもよい。
【００３５】
円柱部１２２ｂＡの直径を連結ギア１２２ａの歯底円直径と同一のサイズにしたことで、ダイヤルクリック板バネ１１２による連結ギア１２２ａ側への機械的干渉（ダイヤルクリック板バネ１１２が連結ギア１２２ａ上にずれたり脱落したりすること）が懸念される。そこで、本実施形態では、連結ギア１２２ａとクリック溝円柱１２２ｂとの間に、連結ギア１２２ａとクリック溝円柱１２２ｂとを仕切る仕切壁１２２ｃが形成されている。仕切壁１２２ｃの高さは、クリック溝１２２ｂＢの山の頂点よりも高い。そのため、ダイヤルクリック板バネ１１２は、クリック溝１２２ｂＢ上において連結ギア１２２ａ側へずれると、ダイヤルクリック板バネ１１２の側面が仕切壁１２２ｃに当たり、連結ギア１２２ａ上への移動が規制される。
【００３６】
図６（ａ）及び図６（ｂ）は、ギア部１２２の組み付けを説明するための図である。図６（ａ）に示されるように、ギア部１２２は、軸部１２２ｄが背面側（接眼レンズ１０４側）からケース１０８の軸受１０８ａに組み付けられる。ここで、本実施形態では、限られたスペース内で調節レンズ１２８のスライド量を確保するため、円筒リブカム１１８の後端を上カバー１ｂの内壁面に近い側まで延ばすことにより、円筒リブカム１１８のガイド長を長く設計している。一方、ダイヤルクリック板バネ１１２は、ファインダ装置１０の小型化のため、円筒リブカム１１８の後端を上カバー１ｂの内壁面に近い側まで延ばすことにより生じた円筒リブカム１１８上方の空きスペースに設置される。そのため、ギア部１２２は、クリック溝円柱１２２ｂがダイヤルクリック板バネ１１２の設置スペース下方に配置されるように、軸部１２２ｄが背面側（接眼レンズ１０４側）から軸受１０８ａに向けて差し込まれ、仕切壁１２２ｃが伝達ギア１２０を乗り越える位置まで組み付けられる（図６（ｂ）参照）。
【００３７】
しかし、図５（ａ）に示されるように、仕切壁１２２ｃは、高さが連結ギア１２２ａの歯よりも高い。そのため、仕切壁１２２ｃと伝達ギア１２０とが機械的に干渉し、仕切壁１２２ｃが伝達ギア１２０を乗り越えられないという不都合が懸念される。
【００３８】
そこで、本実施形態において、仕切壁１２２ｃは、連結ギア１２２ａ及びクリック溝円柱１２２ｂの全周には亘っておらず、一部が切り欠かれた形状となっている。具体的には、図５（ａ）に示されるように、仕切壁１２２ｃは、切り欠き１２２ｃＡを有している。切り欠き１２２ｃＡが形成されている角度範囲に対応する円柱部１２２ｂＡの外周面上の角度範囲（以下、「切り欠き対応範囲」と記す。）には、クリック溝１２２ｂＢが形成されていない、又はクリック溝１２２ｂＢに代えて連結ギア１２２ａと同一のダミー形状が形成されている。なお、何れの場合も、切り欠き対応範囲以外の角度範囲には、クリック溝１２２ｂＢが形成されている。
【００３９】
伝達ギア１２０、ギア部１２２にはそれぞれ、指標１２０ａ、１２２ｅが刻印されている。図２（ａ）に示されるように、伝達ギア１２０とギア部１２２とを指標同士が合う位置に向けたとき、伝達ギア１２０に最も近接する位置に切り欠き１２２ｃＡが位置する。このとき、伝達ギア１２０の投影とギア部１２２の投影とが重ならない。そのため、ギア部１２２は、仕切壁１２２ｃと伝達ギア１２０とが機械的に干渉することなく、軸部１２２ｄが軸受１０８ａに差し込まれ、仕切壁１２２ｃが伝達ギア１２０を乗り越える位置まで組み付けられる。これにより、図６（ｂ）に示されるように、クリック溝円柱１２２ｂがダイヤルクリック板バネ１１２の設置スペース下方に配置されると共に連結ギア１２２ａが伝達ギア１２０と噛み合う。
【００４０】
指標１２０ａと指標１２２ｅとが合う位置に伝達ギア１２０が回転されると、調節レンズ１２８は、対物レンズ１２６と近接する所定位置に移動する。このときのファインダ光学系の視度を一定値、例えばプラス端（＋１．８Ｄｐｔｒ）となるように設計することで、ファインダ光学系の視度値及び伝達ギヤ１２０と連結ギヤ１２２ａとの相対的な回転位置が製品の個体毎にばらつくことなく所定の１つの関係に決まる。
【００４１】
図７（ａ）〜図７（ｆ）は、ファインダ装置１０の組み付けを説明するための図である。図７（ａ）〜図７（ｆ）の各図においては、撮影装置１の背面図及び斜視図を用いて各工程を示す。
【００４２】
ファインダ装置１０は、カメラ本体部１ａに取り付けられる。この時点のファインダ装置１０は、図２に示される構成に接眼レンズ枠１０６を取り付けたものであり、視度調節ダイヤル１０２を備えない未完成品である。次に、カメラ本体部１ａに上カバー１ｂが嵌め込まれて、ねじ止め等により固定される。これにより、ファインダ装置１０は、カメラ本体部１ａと上カバー１ｂとが規定するスペース内に組み込まれる。
【００４３】
図７（ａ）に示されるように、上カバー１ｂにはダイヤル用開口部１ｂＡが空けられている。ダイヤル用開口部１ｂＡは、視度調節ダイヤル１０２が嵌め込まれる穴部である。ファインダ装置１０は、カメラ本体部１ａと上カバー１ｂとが規定するスペース内に、ギア部１２２（連結ギア１２２ａ）がダイヤル用開口部１ｂＡから見える位置で固定される。なお、ダイヤル用開口部１ｂＡは穴形状に限らず、例えば切り欠き等の別の形状であってもよい。
【００４４】
ギア部１２２は、ダイヤルクリック板バネ１１２によりクリック溝１２２ｂＢに軽負荷が掛けられた状態で軸部１２２ｄが軸受１０８ａに差し込まれているだけであるため、スラスト方向に若干量移動可能である。ギア部１２２は、上カバー１ｂをカメラ本体部１ａに嵌め込む際、上カバー１ｂからスラスト方向に離れた位置に移動させておくことが望ましい。ギア部１２２を上カバー１ｂからスラスト方向に離れた位置に移動させておくことで、ギア部１２２と上カバー１ｂとのクリアランスがより多く確保される。これにより、組立時におけるギア部１２２と上カバー１ｂとの機械的干渉が避けやすくなり、上カバー１ｂをカメラ本体部１ａにスムーズに嵌め込むことができる。
【００４５】
カメラ本体部１ａに上カバー１ｂが嵌め込まれて固定されたとき、製造誤差や組立誤差のため、カメラ本体部１ａに取り付けられたギア部１２２と、上カバー１ｂに空けられたダイヤル用開口部１ｂＡとが必ずしも同軸に位置しない。ギア部１２２とダイヤル用開口部１ｂＡとが軸ずれした状態では視度調節ダイヤル１０２をダイヤル用開口部１ｂＡに嵌めてギア部１２２に連結させることが難しい。ギア部１２２とダイヤル用開口部１ｂＡとの軸ずれを抑えるためには、カメラ本体部１ａに対して上カバー１ｂを高精度に取り付ける必要がある。しかし、カメラ本体部１ａ及び上カバー１ｂのような大型なパーツ同士を高精度に取り付けるのは製造上容易ではない。
【００４６】
本実施形態では、上記の問題を解消するため、棒状治具２００が用いられる。図８（ａ）は、棒状治具２００の正面図を示し、図８（ｂ）及び図８（ｃ）は、棒状治具２００の斜視図を示す。図８に示されるように、棒状治具２００は、円柱本体部２００ａを備えている。円柱本体部２００ａの先端面には、凸状のギア係合キー２００ｂが形成されている。ギア係合キー２００ｂの先端面には、先端円柱部２００ｃが形成されている。円柱本体部２００ａの側面には、円柱本体部２００ａの一端から他端に亘り、凸状の軸受係合キー２００ｄが形成されている。
【００４７】
図５に示されるように、ギア部１２２の中心には、連結ギア１２２ａ及びクリック溝円柱１２２ｂを貫通する深穴１２２ｆが形成されている。また、深穴１２２ｆの周辺であって連結ギア１２２ａの中央部分には、先端係合キー溝１２２ｇが形成されている。
【００４８】
図７（ｂ）に示されるように、棒状治具２００は、ダイヤル用開口部１ｂＡに挿入される。ダイヤル用開口部１ｂＡに挿入された棒状治具２００は、ギア係合キー２００ｂ、先端円柱部２００ｃのそれぞれが、先端係合キー溝１２２ｇ、深穴１２２ｆに係合されるので、棒状冶具２００と連結ギヤ１２２ａとの相対的な回転位置が製品の個体毎にばらつくことなく所定の１つの関係に決まる。言い換えれば、棒状治具２００は、ギア部１２２が所定の回転位置（指標１２０ａと指標１２２ｅとが合う位置）にセットされていれば、常に一定の向きで係合する。
【００４９】
図７（ｃ）に示されるように、ギア部１２２に係合された棒状治具２００を所定の回転位置にした状態で棒状治具２００に軸受ストッパ部１３０が貫装される。図９（ａ）は、軸受ストッパ部１３０単体の背面図を示し、図９（ｂ）及び図９（ｃ）は、軸受ストッパ部１３０単体の斜視図を示す。図９に示されるように、軸受ストッパ部１３０は、円環体１３０ａを備えている。円環体１３０ａの中心穴１３０ａＣは、一部が切り欠かれている。中心穴１３０ａＣの切り欠きは、側面係合キー溝１３０ｂをなす。円環体１３０ａの背面１３０ａＡには凸状のストッパ１３０ｃが形成されている。円環体１３０ａの前面１３０ａＢには、円環体１３０ａより前方に突出する差し込みリブ１３０ｄが形成されている。側面係合キー溝１３０ｂは、円環体１３０ａから差し込みリブ１３０ｄまで延びている。具体的には、図９（ｃ）に示されるように、差し込みリブ１３０ｄは、一部の側面が切り欠かれている。差し込みリブ１３０ｄの側面の切り欠きが側面係合キー溝１３０ｂをなす。
【００５０】
軸受ストッパ部１３０は、中心穴１３０ａＣ、側面係合キー溝１３０ｂがそれぞれ、円柱本体部２００ａ、軸受係合キー２００ｄと係合された状態で棒状治具２００に挿入される。棒状治具２００に挿入された軸受ストッパ部１３０は、差し込みリブ１３０ｄがダイヤル用開口部１ｂＡに差し込まれ且つ前面１３０ａＢがダイヤル用開口部１ｂＡ周辺に設けられた取り付けしろ１ｂＢと接触する位置まで通される。前面１３０ａＢには、予め両面テープが貼付され又は接着剤が塗布されている。そのため、軸受ストッパ部１３０は、前面１３０ａＢが取り付けしろ（軸受ストッパ部１３０が接着される領域であり、接着しろ）１ｂＢに接着されることにより、上カバー１ｂに固定される。これによって、ファインダ光学系の視度値と凸状のストッパ１３０ｃとの回転位置が製品の個体毎にばらつくことなく所定の１つの関係に決まる。なお、本実施形態では、軸受ストッパ部１３０を上カバー１ｂに接着固定させやすくする便宜上、周辺形状に対して一段落とし込まれた凹部の底面が取り付けしろ１ｂＢとなっている。
【００５１】
ここで、上カバー１ｂが製造誤差等によりカメラ本体部１ａに対してずれて固定されたとき、上述したように、ギア部１２２とダイヤル用開口部１ｂＡとが同軸に位置しない。この場合、ギア部１２２に係合された棒状治具２００は、ダイヤル用開口部１ｂＡに対して偏心した位置に配置される。そのため、棒状治具２００に挿入され通された軸受ストッパ部１３０がダイヤル用開口部１ｂＡの周縁部と機械的に干渉し、取り付けしろ１ｂＢに取り付けられないという問題が懸念される。
【００５２】
そこで、ダイヤル用開口部１ｂＡ、取り付けしろ１ｂＢはそれぞれ、ギア部１２２とダイヤル用開口部１ｂＡとの軸ずれを吸収できるように、差し込みリブ１３０ｄ、円環体１３０ａよりも径が大きい。そのため、棒状治具２００がダイヤル用開口部１ｂＡに対して偏心する場合も、差し込みリブ１３０ｄは、ダイヤル用開口部１ｂＡに差し込まれ、円環体１３０ａの前面１３０ａＢは、取り付けしろ１ｂＢ内に接着される。
【００５３】
図７（ｄ）に示されるように、棒状治具２００は、ギア部１２２及び軸受ストッパ部１３０から取り外される。ギア部１２２と軸受ストッパ部１３０は、ギア部１２２とダイヤル用開口部１ｂＡとの軸ずれがダイヤル用開口部１ｂＡと差し込みリブ１３０ｄとの径の差（及び円環体１３０ａと取り付けしろ１ｂＢとの径の差）内で吸収されるため、互いが同軸となる位置に固定されている。
【００５４】
なお、棒状治具２００が取り外された後も、ギア部１２２と軸受ストッパ部１３０との向きは、ギア部１２０が回転されない限り一定の関係に保たれる。
【００５５】
図９に示されるように、円環体１３０ａの背面１３０ａＡには円環リブ１３０ｅが形成されている。図７（ｅ）に示されるように、円環リブ１３０ｅには、防塵・防滴のためのＯリング１３２が係合される。
【００５６】
図１０は、視度調節ダイヤル１０２単体の斜視図を示す。図１０に示されるように、視度調節ダイヤル１０２は、ダイヤル本体１０２ａ及び支軸１０２ｂを備えている。支軸１０２ｂの先端には連結キー１０２ｃが形成されている。支軸１０２ｂの根元には突起部１０２ｄが形成されている。
【００５７】
視度調節ダイヤル１０２は、棒状治具２００が取り外された後、支軸１０２ｂが軸受ストッパ部１３０の中心穴１３０ａＣに差し込まれる。視度調節ダイヤル１０２が更に差し込まれると、連結キー１０２ｃがギア部１２２の先端係合キー溝１２２ｇと係合する。連結キー１０２ｃと先端係合キー溝１２２ｇとが係合された状態で視度調節ダイヤル１０２が止めねじ１３４によってねじ止めされることにより、視度調節ダイヤル１０２とギア部１２２とが連結する。ギア部１２２は、ねじ止めによって上カバー１ｂの内壁面側に引き込まれることによりスラスト方向への移動が規制され、位置が安定する。
【００５８】
なお、連結キー１０２ｃと先端係合キー溝１２２ｇは、互いの向きが一定の関係にあるときのみ係合する。すなわち、視度調節ダイヤル１０２は、ギア部１２２（及びギア部１２２に対して一定の向きに配置された軸受ストッパ部１３０）に対して常に一定の向きで係合する。
【００５９】
調節レンズ１２８は、視度調節ダイヤル１０２と連動するため、視度調節ダイヤル１０２の回転可能な角度範囲を規制しなければ、接眼レンズ１０４や対物レンズ１１６と衝突する虞がある。そこで、本実施形態では、連結キー１０２ｃと先端係合キー溝１２２ｇとが係合されたとき、視度調節ダイヤル１０２の回転操作時における突起部１０２ｄの回転軌跡と、軸受ストッパ部１３０のストッパ１３０ｃの位置とが干渉する構成となっている。そのため、視度調節ダイヤル１０２が回転操作されると、ある角度位置において突起部１０２ｄとストッパ１３０ｃとが当て付く。これにより、視度調節ダイヤル１０２の回転可能な角度範囲が規制される。上述したように、ファインダの視度値と凸状のストッパ１３０ｃとの回転位置が製品の個体毎にばらつくことなく所定の１つの関係に決まるため、視度調節ダイヤル１０２を回転可能な角度範囲の一端から他端に回転させることで、ファインダ光学系の視度値を調節可能な視度範囲内で正確に変化させることが可能となる。
【００６０】
本実施形態において、視度調節ダイヤル１０２の回転可能な角度範囲は３００°である。ギア部１２２は、視度調節ダイヤル１０２と連結するため、同じく３００°の範囲内で回転可能である。クリック溝１２２ｂＢは、少なくとも３００°の範囲に亘り形成されており、ギア部１２２の回転に拘わらずダイヤルクリック板バネ１１２によって常時付勢される。仕切壁１２２ｃは、ダイヤルクリック板バネ１１２による連結ギア１２２ａ側への機械的干渉を避けるため、クリック溝１２２ｂＢと同じ角度範囲に形成されている。
【００６１】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００６２】
本実施形態では、円柱部１２２ｂＡの直径が連結ギア１２２ａの歯底円直径と同一のサイズに設計されているが、別の実施形態では、より多くのクリック溝１２２ｂＢを形成するため、円柱部１２２ｂＡの直径が連結ギア１２２ａの歯底円直径より大きく設計されてもよい。
【符号の説明】
【００６３】
１  撮影装置
１ａ  カメラ本体部
１ｂ  上カバー
１ｂＡ  ダイヤル用開口部
１ｂＢ  取り付けしろ
１０  ファインダ装置
１０２  視度調節ダイヤル
１０２ａ  ダイヤル本体
１０２ｂ  支軸
１０２ｃ  連結キー
１０２ｄ  突起部
１０４  接眼レンズ
１０６  接眼レンズ枠
１０８  ケース
１０８ａ  軸受
１１０  上板
１１２  ダイヤルクリック板バネ
１１４  止めねじ
１１６  対物レンズ
１１８  円筒リブカム
１２０  伝達ギア
１２０ａ  指標
１２２  ギア部
１２２ａ  連結ギア
１２２ｂ  クリック溝円柱
１２２ｂＡ  円柱部
１２２ｂＢ  クリック溝
１２２ｃ  壁部
１２２ｃＡ  切り欠き
１２２ｄ  軸部
１２２ｅ  指標
１２２ｆ  深穴
１２２ｇ  先端係合キー溝
１２４  レンズガイド軸
１２６  レンズ付勢バネ
１２８  調節レンズ
１２８ａ  ガイド部
１２８ａＡ  ガイド穴
１２８ａＢ  カムフォロア
１３０  軸受ストッパ部
１３０ａ  円環体
１３０ａＡ  （円環体１３０ａの）背面
１３０ａＢ  （円環体１３０ａの）前面
１３０ａＣ  （円環体１３０ａの）中心穴
１３０ｂ  側面係合キー溝
１３０ｃ  ストッパ
１３０ｄ  差し込みリブ
１３０ｅ  円環リブ
１３２  Ｏリング
１３４  止めねじ
２００  棒状治具
２００ａ  円柱本体部
２００ｂ  ギア係合キー
２００ｃ  先端円柱部
２００ｄ  軸受係合キー
【図１】
2015072291.tif 000003
【図２】
2015072291.tif 000004
【図３】
2015072291.tif 000005
【図４】
2015072291.tif 000006
【図５】
2015072291.tif 000007
【図６】
2015072291.tif 000008
【図７】
2015072291.tif 000009
【図８】
2015072291.tif 000010
【図９】
2015072291.tif 000011
【図１０】
2015072291.tif 000012